(57)【要約】【課題】ネットワークカメラのアドレスと設置場所を簡単な構成で簡単に対応づけることができ、ネットワークカメラの設置および管理を簡単に行うことができるネットワークカメラシステムを提供する。【解決手段】ネットワーク３００を介して画像受信装置２００に接続されたネットワークカメラ１００は、ライブ画像を提供するライブ画像提供モードとネットワークカメラの設置情報を取得する設置情報取得モードとを切り替えるモード設定部１２１と、設置情報取得モードが設定されたときにネットワークカメラ１００の入力機能を用いて設置情報を取得するカメラ設置情報取得部１２２と、取得された設置情報を記憶するカメラ設置情報記憶部１３１と、画像受信装置２００の要求に応じて設置情報取得モードにてカメラ設置情報記憶部１３１に記憶しておいた設置情報を画像受信装置２００へ送信するネットワーク送受信部１４０とを有する。【選択図】図１
2008271369.tif 000002
【特許請求の範囲】
【請求項１】
ネットワークに接続され、互いに異なるアドレス情報を有する複数のネットワークカメラと、前記ネットワークを介して前記ネットワークカメラに接続された画像受信装置とを備え、
前記ネットワークカメラは、
前記ネットワークカメラのライブ画像を提供するライブ画像提供モードと前記ネットワークカメラの設置場所に関する設置情報を取得する設置情報取得モードとを切り替えるモード設定部と、
前記設置情報取得モードが設定されたときに、前記ネットワークカメラの入力機能を用いて前記設置情報を取得する設置情報取得部と、
前記設置情報取得部により取得された前記設置情報を記憶する設置情報記憶部と、
前記画像受信装置の要求に応じて、前記設置情報取得モードにて設置情報記憶部に記憶しておいた前記設置情報を前記画像受信装置へ送信するカメラ送信部とを有し、
前記画像受信装置は、
前記ネットワークカメラの前記アドレス情報を要求して、前記アドレス情報を取得するカメラアドレス情報要求部と、
前記カメラアドレス情報要求部により取得した前記アドレス情報に基づいて、前記複数のネットワークカメラに前記設置情報を要求し、前記カメラ送信部により送信される前記設置情報を前記アドレス情報毎に取得するカメラ設置情報要求部とを有することを特徴とするネットワークカメラシステム。
【請求項２】
前記入力機能として、被写体画像を撮像する撮像部を備え、前記設置情報取得部は、前記撮像部による撮像機能を用いて撮像される画像情報に基づき、前記設置情報を取得することを特徴とする請求項１に記載のネットワークカメラシステム。
【請求項３】
前記入力機能として、音声を取得するマイク部を備え、前記設置情報取得部は、前記マイク部による集音機能を用いて集音される音声情報に基づき、前記設置情報を取得することを特徴とする請求項１に記載のネットワークカメラシステム。
【請求項４】
前記画像情報または前記音声情報に、特定の画像パターンまたは音声パターンが含まれているか否かを識別するパターン識別部を備え、前記モード設定部は、前記パターン識別部の識別結果に応じて、前記ライブ画像提供モードと前記設置情報取得モードとを切り替えることを特徴とする請求項２または３に記載のネットワークカメラシステム。
【請求項５】
前記画像情報または前記音声情報に含まれるキーワード情報を抽出するキーワード抽出部を備え、前記設置情報取得部は、前記キーワード抽出部により抽出された前記キーワード情報を、前記設置情報として取得することを特徴とする請求項２ないし４のいずれかに記載のネットワークカメラシステム。
【請求項６】
前記画像情報または前記音声情報に含まれるキーワード情報を抽出するキーワード抽出部を備え、前記設置情報取得部は、前記キーワード抽出部により前記キーワード情報が抽出されたときの画像情報または音声情報を、前記設置情報として取得することを特徴とする請求項２ないし４のいずれかに記載のネットワークカメラシステム。
【請求項７】
前記ライブ画像提供モードと前記設置情報取得モードとを切り替える切り替えスイッチを備え、前記モード設定部は、前記切り替えスイッチを用いて、前記ライブ画像提供モードと前記設置情報取得モードとを切り替えることを特徴とする請求項１ないし３、５および６のいずれかに記載のネットワークカメラシステム。
【請求項８】
ネットワークを介して画像受信装置に接続され、互いに異なるアドレス情報を有するネットワークカメラであって、
前記ネットワークカメラのライブ画像を提供するライブ画像提供モードと前記ネットワークカメラの設置場所に関する設置情報を取得する設置情報取得モードとを切り替えるモード設定部と、
前記設置情報取得モードが設定されたときに、前記ネットワークカメラの入力機能を用いて前記設置情報を取得する設置情報取得部と、
前記設置情報取得部により取得された前記設置情報を記憶する設置情報記憶部と、
前記画像受信装置の要求に応じて、前記設置情報取得モードにて設置情報記憶部に記憶しておいた前記設置情報を送信するカメラ送信部とを備えたことを特徴とするネットワークカメラ。
【請求項９】
ネットワークカメラのライブ画像を提供するライブ画像提供モードと前記ネットワークカメラの設置場所に関する設置情報を取得する設置情報取得モードとを切り替えて設定できるように設けられ、前記設置情報取得モードが設定されたときに前記ネットワークカメラの入力機能を用いて取得された前記ネットワークカメラの設置場所に関する設置情報を記憶し、互いに異なるアドレス情報を有する複数のネットワークカメラにネットワークを介して接続され、前記ネットワークカメラからデータを受信する画像受信装置であって、
前記ネットワークカメラの前記アドレス情報を要求して、前記アドレス情報を取得するカメラアドレス情報要求部と、
前記カメラアドレス情報要求部により取得した前記アドレス情報に基づいて、前記複数のネットワークカメラに前記設置情報を要求し、前記ネットワークカメラから送信される前記設置情報を前記アドレス情報毎に取得するカメラ設置情報要求部とを備えたことを特徴とする画像受信装置。
【発明の詳細な説明】
【技術分野】
【０００１】
本発明は、ネットワークに接続されたネットワークカメラおよび画像受信装置を備えるネットワークカメラシステムに関する。
【背景技術】
【０００２】
近年、ネットワークに接続可能なネットワークカメラを用いたネットワークカメラシステムが知られている。従来のネットワークカメラシステムの構成を図７に示す。図７に示されるように、従来のネットワークカメラシステム２０００は、ネットワーク６００を介して互いに接続された複数のネットワークカメラ４００および画像受信装置５００を備えている。
【０００３】
各ネットワークカメラ４００は撮像部４１０、制御部４２０およびネットワーク送受信部４３０をそれぞれ備えており、ネットワーク送受信部４３０が、撮像部４１０により撮影されたライブ画像を、ネットワーク６００を介して画像受信装置５００へ送信する。また、画像受信装置５００はネットワーク送受信部５１０、制御部５２０および表示部５３０を備えており、各ネットワークカメラ４００から送信されるライブ画像が、ネットワーク送受信部５１０により受信され、制御部５２０の制御の下で表示部５３０に表示される。これにより画像受信装置５００の管理者は、ネットワーク６００経由で各ネットワークカメラ４００のライブ映像を見たり、保存したり、管理したりすることが可能となる。
【０００４】
上記従来のネットワークカメラシステムでは、各ネットワークカメラ４００のＩＰアドレスは、ＤＨＣＰ（Dynamic Host Configuration Protocol）などにより、自動的に割り当てることができる。ただし、ＩＰアドレスを自動的に割り当てた場合、ＩＰアドレスだけではライブ画像がどのネットワークカメラ４００の画像なのかを識別することが困難であった。
【０００５】
このため、従来では、各ネットワークカメラのＩＰアドレスリストと実際のネットワークカメラとを対応付けるために、例えば、各ネットワークカメラを設置する際に、各ネットワークカメラの固有のＭＡＣ（Media Access Control）アドレスを予め確認しておき、ネットワークプロトコルデータを用いて、ＩＰアドレスおよびＭＡＣアドレスの対応表を作成していた。
【０００６】
或いは、ネットワーク上にて、ネットワークハブ装置の名前から各ネットワークカメラの名前を自動的に生成して、ＩＰアドレスと共にＤＮＳ（Domain Name System）に登録して、画像受信装置の管理者は自動生成された名前を用いて、各ネットワークカメラを識別していた（例えば、特許文献１参照）。
【０００７】
或いは、各ネットワークカメラを設置した後に、管理者がライブ画像内容を確認して、ライブ画像内容からどのネットワークカメラの画像なのか識別していた。
【特許文献１】特開２００６−２８７２９２号公報
【発明の開示】
【発明が解決しようとする課題】
【０００８】
しかしながら、従来のネットワークカメラシステムにおいては、以下のような問題があった。まず、各ネットワークカメラの固有のＭＡＣ（Media Access Control）アドレスを予め確認しておく場合は、ネットワークに関する知識に乏しい人には、ＭＡＣアドレスやＩＰアドレスからネットワークカメラの設置場所を直感的に把握し難いという問題があった。
【０００９】
特許文献１に記載のネットワークカメラシステム技術においても、各ネットワークカメラの名前がネットワークハブ装置の名前から自動的に生成されているため、ネットワークに関する知識に乏しい人には、ネットワークハブ装置の名前からネットワークカメラの設置場所を直感的に把握し難いという問題があった。
【００１０】
また、各ネットワークカメラを設置した後にライブ画像内容を確認する方法では、例えば、ネットワークカメラがビル内の監視用に設置されたような場合、ライブ画像に写る景色が各ネットワークカメラ間で似ていることが多く、ライブ画像がどのネットワークカメラの画像なのか識別するのが難しいという問題があった。確認中のライブ画像がどのネットワークカメラの画像なのかを明確にするために、例えば、他者に各ネットワークカメラの前に立ってもらうことも考えられるが、作業者を一人増やす必要が生じるという問題があった。
【００１１】
本発明は、上記従来の問題を解決するためになされたもので、ネットワークカメラのアドレスと設置場所を簡単な構成で簡単に対応づけることができ、ネットワークカメラの設置および管理を簡単に行えるネットワークカメラシステムを提供することを目的とする。
【課題を解決するための手段】
【００１２】
本発明のネットワークカメラシステムは、ネットワークに接続され、互いに異なるアドレス情報を有する複数のネットワークカメラと、前記ネットワークを介して前記ネットワークカメラに接続された画像受信装置とを備え、前記ネットワークカメラは、前記ネットワークカメラのライブ画像を提供するライブ画像提供モードと前記ネットワークカメラの設置場所に関する設置情報を取得する設置情報取得モードとを切り替えるモード設定部と、前記設置情報取得モードが設定されたときに、前記ネットワークカメラの入力機能を用いて前記設置情報を取得する設置情報取得部と、前記設置情報取得部により取得された前記設置情報を記憶する設置情報記憶部と、前記画像受信装置の要求に応じて、前記設置情報取得モードにて設置情報記憶部に記憶しておいた前記設置情報を前記画像受信装置へ送信するカメラ送信部とを有し、前記画像受信装置は、前記ネットワークカメラの前記アドレス情報を要求して、前記アドレス情報を取得するカメラアドレス情報要求部と、前記カメラアドレス情報要求部により取得した前記アドレス情報に基づいて、前記複数のネットワークカメラに前記設置情報を要求し、前記カメラ送信部により送信される前記設置情報を前記アドレス情報毎に取得するカメラ設置情報要求部とを有した構成を有している。
【００１３】
この構成により、設置情報取得部がネットワークカメラの入力機能を用いて、ネットワークカメラの設置場所に関する設置情報を取得して、設置情報記憶部が取得された設置情報を記憶しておく。そして、カメラ送信部が画像受信装置の要求に応じて、設置情報取得モードにて設置情報記憶部に記憶しておいた設置情報を画像受信装置へ送信する。従って、特別な部品を追加することなく、ネットワークカメラに装備されている機能を用いて、ネットワークカメラの設置場所に関する情報を取得できる。この結果、ネットワークカメラのアドレスと設置場所を簡単な構成で簡単に対応づけることができ、ネットワークカメラの設置および管理を簡単に行える。
【００１４】
また、本発明のネットワークカメラシステムは、前記入力機能として、被写体画像を撮像する撮像部を備え、前記設置情報取得部は、前記撮像部による撮像機能を用いて撮像される画像情報に基づき、前記設置情報を取得する構成を有している。
【００１５】
この構成により、設置情報取得部が、撮像部による撮像機能を用いて撮像される画像情報に基づき、ネットワークカメラの設置場所に関する情報を取得するので、特別な部品を追加することなく、ネットワークカメラに装備されている撮像機能を用いて、ネットワークカメラの設置場所に関する設置情報を取得できる。このとき、ネットワークカメラの設置場所に関する情報は、画像情報そのものでもよく、また、画像情報から抽出されるものであってもよい。この結果、ネットワークカメラのアドレスと設置場所を簡単な構成で簡単に対応づけることができ、ネットワークカメラの設置および管理を簡単に行える。
【００１６】
また、本発明のネットワークカメラシステムは、前記入力機能として、音声を取得するマイク部を備え、前記設置情報取得部は、前記マイク部による集音機能を用いて集音される音声情報に基づき、前記設置情報を取得する構成を有している。
【００１７】
この構成により、設置情報取得部が、マイク部による集音機能を用いて集音される音声情報に基づき、ネットワークカメラの設置場所に関する情報を取得するので、特別な部品を追加することなく、ネットワークカメラに装備されている集音機能を用いて、ネットワークカメラの設置場所に関する設置情報を取得できる。このとき、ネットワークカメラの設置場所に関する情報は、音声情報そのものでよく、また、音声情報から抽出されるものであってもよい。この結果、ネットワークカメラのアドレスと設置場所を簡単な構成で簡単に対応づけることができ、ネットワークカメラの設置および管理を簡単に行える。
【００１８】
また、本発明のネットワークカメラシステムは、前記画像情報または前記音声情報に、特定の画像パターンまたは音声パターンが含まれているか否かを識別するパターン識別部を備え、前記モード設定部は、前記パターン識別部の識別結果に応じて、前記ライブ画像提供モードと前記設置情報取得モードとを切り替える構成を有している。
【００１９】
この構成により、パターン識別部の識別結果に応じて、ライブ画像提供モードと設置情報取得モードとを切り替えるので、特定の画像パターンまたは音声パターンの有無に応じて自動的に設置情報取得モードに切り替えて、ネットワークカメラの設置場所に関する設置情報を簡単に取得できる。
【００２０】
また、本発明のネットワークカメラシステムは、前記画像情報または前記音声情報に含まれるキーワード情報を抽出するキーワード抽出部を備え、前記設置情報取得部は、前記キーワード抽出部により抽出された前記キーワード情報を、前記設置情報として取得する構成を有している。
【００２１】
この構成により、画像情報または音声情報に含まれるキーワード情報を、ネットワークカメラの設置場所に関する設置情報として取得するので、画像受信装置側にて、キーワード情報を用いて、ネットワークカメラの設置場所の管理を容易に行える。また、画像や音声で設置情報を記憶する場合と比較して、設置情報記憶部の容量を節約することができる。
【００２２】
また、本発明のネットワークカメラシステムは、前記画像情報または前記音声情報に含まれるキーワード情報を抽出するキーワード抽出部を備え、前記設置情報取得部は、前記キーワード抽出部により前記キーワード情報が抽出されたときの画像情報または音声情報を、前記設置情報として取得する構成を有している。
【００２３】
この構成により、キーワード情報が含まれる画像情報または音声情報を、ネットワークカメラの設置場所に関する設置情報として取得するので、画像受信装置側でも、キーワード情報を抽出して、ネットワークカメラの設置場所の管理を容易に行える。
【００２４】
また、本発明のネットワークカメラシステムは、前記ライブ画像提供モードと前記設置情報取得モードとを切り替える切り替えスイッチを備え、前記モード設定部は、前記切り替えスイッチを用いて、前記ライブ画像提供モードと前記設置情報取得モードとを切り替える構成を有している。
【００２５】
この構成により、モード設定部が、切り替えスイッチを用いて、ライブ画像提供モードと設置情報取得モードとを切り替えるので、切り替えスイッチの切り替えのみで簡単に設置情報取得モードに切り替えて、ネットワークカメラの設置場所に関する設置情報を簡単に取得できる。
【００２６】
本発明のネットワークカメラは、ネットワークを介して画像受信装置に接続され、互いに異なるアドレス情報を有するネットワークカメラであって、前記ネットワークカメラのライブ画像を提供するライブ画像提供モードと前記ネットワークカメラの設置場所に関する設置情報を取得する設置情報取得モードとを切り替えるモード設定部と、前記設置情報取得モードが設定されたときに、前記ネットワークカメラの入力機能を用いて前記設置情報を取得する設置情報取得部と、前記設置情報取得部により取得された前記設置情報を記憶する設置情報記憶部と、前記画像受信装置の要求に応じて、前記設置情報取得モードにて設置情報記憶部に記憶しておいた前記設置情報を送信するカメラ送信部とを備えた構成を有している。
【００２７】
この構成により、設置情報取得部がネットワークカメラの入力機能を用いて、ネットワークカメラの設置場所に関する設置情報を取得して、設置情報記憶部が取得された設置情報を記憶しておき、カメラ送信部が画像受信装置の要求に応じて、設置情報取得モードにて設置情報記憶部に記憶しておいた設置情報を画像受信装置へ送信するので、特別な部品を追加することなく、ネットワークカメラに装備されている機能を用いて、ネットワークカメラの設置場所に関する情報を取得できる。この結果、ネットワークカメラのアドレスと設置場所を簡単な構成で簡単に対応づけることができ、ネットワークカメラの設置および管理を簡単に行える。
【００２８】
本発明の画像受信装置は、ネットワークカメラのライブ画像を提供するライブ画像提供モードと前記ネットワークカメラの設置場所に関する設置情報を取得する設置情報取得モードとを切り替えて設定できるように設けられ、前記設置情報取得モードが設定されたときに前記ネットワークカメラの入力機能を用いて取得された前記ネットワークカメラの設置場所に関する設置情報を記憶し、互いに異なるアドレス情報を有する複数のネットワークカメラにネットワークを介して接続され、前記ネットワークカメラからデータを受信する画像受信装置であって、前記ネットワークカメラの前記アドレス情報を要求して、前記アドレス情報を取得するカメラアドレス情報要求部と、前記カメラアドレス情報要求部により取得した前記アドレス情報に基づいて、前記複数のネットワークカメラに前記設置情報を要求し、前記ネットワークカメラから送信される前記設置情報を前記アドレス情報毎に取得するカメラ設置情報要求部とを備えた構成を有している。
【００２９】
この構成により、カメラ設置情報要求部が、ネットワークカメラの設置場所に関する設置情報をネットワークカメラからアドレス情報毎に取得するので、特別な部品を追加することなく、ネットワークカメラに装備されている機能を用いて、ネットワークカメラの設置場所に関する情報を取得できる。この結果、ネットワークカメラのアドレスと設置場所を簡単な構成で簡単に対応づけることができ、ネットワークカメラの設置および管理を簡単に行える。
【発明の効果】
【００３０】
本発明は、ネットワークカメラのアドレスと設置場所を簡単な構成で簡単に対応づけることができ、ネットワークカメラの設置および管理を簡単に行えるという効果を有するネットワークカメラシステムを提供することができるものである。
【発明を実施するための最良の形態】
【００３１】
（第１の実施の形態）
以下、本発明の第１の実施の形態に係るネットワークカメラシステム１０００について、図面を用いて説明する。本発明の第１の実施の形態におけるネットワークカメラシステム１０００の構成を図１および図２に示す。図２は全体外観図を示し、図１は各構成の詳細を示している。図１では、ネットワークカメラは１つのみ示している。
【００３２】
図２に示されるように、第１の実施の形態に係るネットワークカメラシステム１０００は、ネットワーク３００を介して接続された複数のネットワークカメラ１００と画像受信装置２００とを構成されている。各ネットワークカメラ１００はそれぞれＩＰアドレスを有しており、ネットワーク３００に接続されている。
【００３３】
ＩＰｖ６（Internet Protocol Version ６）をインターネットプロトコルに利用した場合、各ネットワークカメラ１００は、ＩＰｖ６のリンクローカル機能またはＤＨＣＰｖ６を用いて、ＩＰアドレスを自動的に取得することができる。また、ＩＰｖ４（Internet Protocol Version ４）をインターネットプロトコルに利用した場合には、各ネットワークカメラ１００はＤＨＣＰを用いて、ＩＰアドレスを自動的に取得することもできる。また、各ネットワークカメラ１００は、ＩＰｖ６およびＩＰｖ４の併用により、ＩＰアドレスを自動的に取得することもできる。各ネットワークカメラ１００は、例えばビル内の各階や商店街の要所などに設置されており、ネットワーク３００を介して画像受信装置２００にライブ画像を送信する。
【００３４】
図１に示されるように、ネットワークカメラ１００は、撮像部１１０と、制御部１２０と、記憶部１３０と、ネットワーク送受信部１４０と、モード切り替えスイッチ１５０とを備えている。撮像部１１０は、撮像素子等から構成されており、被写体を撮像して画像信号を生成し、これにより画像入力機能を実現する。
【００３５】
制御部１２０は、撮像部１１０、記憶部１３０、ネットワーク送受信部１４０およびモード切り替えスイッチ１５０に接続されており、これら全てを制御している。そして、制御部１２０は、撮像された画像の送信、保存等のカメラ動作を制御する。また、制御部１２０は、モード設定部１２１と、カメラ設置情報取得部１２２と、ライブ画像情報取得部１２３と、情報提供部１２４とを備えている。
【００３６】
モード設定部１２１は、作業者によるモード切り替えスイッチ１５０の操作に応じて、当該ネットワークカメラ１００のライブ画像を提供するライブ画像提供モードと当該ネットワークカメラ１００の設置場所に関する設置情報（以下、ネットワークカメラ設置情報と称する）を取得する設置情報取得モードとを切り替える。
【００３７】
カメラ設置情報取得部１２２は、本発明の設置情報取得部に相当し、モード設定部１２１により設置情報取得モードが設定されたときに、当該ネットワークカメラ１００の撮像部１１０の撮像機能を用いて、ネットワークカメラ設置情報を取得する。本実施の形態では、ネットワークカメラ設置情報が、画像情報そのものである。ネットワーク設置情報には、各ネットワークカメラ１００の設置場所を容易に特定または推測できる被写体を撮影した画像情報が用いられる。ネットワークカメラ設置情報は、設置場所の固定物の画像でもよい。また、ネットワークカメラ設置情報には、例えば「２Ｆ―第１会議室」、「３Ｆ―３０１号室」等の看板が撮像された画像等が用いられてもよい。
【００３８】
ライブ画像情報取得部１２３は、モード設定部１２１によりライブ画像提供モードが設定されたときに、撮像部１１０のライブ画像を取得する。情報提供部１２４は、画像受信装置２００の要求に応じて、ネットワーク送受信部１４０に、設置情報取得部１２３に記憶されているネットワークカメラ設置情報を画像受信装置２００へ送信させる。
【００３９】
記憶部１３０はカメラ動作に必要な各種データ等を記憶する。また、記憶部１３０は、カメラ設置情報記憶部１３１を備えており、設置情報記憶部としてのカメラ設置情報記憶部１３１は、カメラ設置情報取得部１２２により取得されたネットワークカメラ設置情報を記憶する。
【００４０】
ネットワーク送受信部１４０は、ネットワーク３００に接続されており、ネットワーク３００を介して画像受信装置２００との間でデータの送受を行う。ネットワーク送受信部１４０は、例えば、撮像部１１０のライブ画像情報を画像受信装置２００へ送信する。また、ネットワーク送受信部１４０は、情報提供部１２４の指示に従って、カメラ設置情報記憶部１３１に記憶されているネットワークカメラ設置情報を画像受信装置２００へ送信する。このネットワーク送受信部１４０は本発明のカメラ送信部である。
【００４１】
モード切り替えスイッチ１５０は、上述のライブ画像提供モードと設置情報取得モードとを切り替えるために設けられており、作業者により操作される。なお、モード切り替えスイッチ１５０は、押し釦型スイッチであってもよい。
【００４２】
図１に示されるように、画像受信装置２００は、ネットワーク送受信部２１０と、制御部２２０と、記憶部２３０と、表示部２４０とを備えている。
ネットワーク送受信部２１０は、ネットワーク３００に接続されており、ネットワーク３００を介して各ネットワークカメラ１００との間でデータの送受を行う。ネットワーク送受信部２１０は、例えば、ネットワークカメラ１００から送信される撮像部１１０のライブ画像や、カメラ設置情報記憶部１３１に記憶されているネットワークカメラ設置情報を受信する。また、ネットワーク送受信部２１０は、例えば、カメラＩＰアドレス情報要求部２２１からのＩＰアドレス情報の要求信号を、ネットワークカメラ１００に送信する。
【００４３】
制御部２２０は、ネットワーク送受信部２１０、記憶部２３０および表示部２４０に接続されており、これら全てを制御している。また、制御部２２０は、カメラＩＰアドレス情報要求部２２１と、カメラ設置情報要求部２２２と、ライブ画像情報再生部２２３とを備えている。
【００４４】
カメラアドレス情報要求部としてのカメラＩＰアドレス情報要求部２２１は、各ネットワークカメラ１００に対して、ネットワーク３００を介して、各ネットワークカメラ１００の各ＩＰアドレス情報を要求して、各ネットワークカメラ１００の各ＩＰアドレス情報を取得する。
【００４５】
ＩＰアドレスの要求は、ブロードキャストで、全ネットワークカメラ１００に送られてよい。また、ＩＰアドレスの要求は、ピン信号等のコマンド信号のかたちで、ネットワークカメラ１００に送られてよい。また、本実施の形態では、ＩＰｖ６がインターネットプロトコルに採用され、例えばＩＰｖ６のリンクローカル機能を用いて、ＩＰアドレスが各ネットワークカメラ１００に問い合わされている。しかし、ネットワークの仕様によっては、ＩＰアドレスが、ネットワークカメラ以外の構成に問い合わされてもよい。例えば、ＩＰｖ４がインターネットプロトコルに採用されている場合には、ＤＨＣＰによってＩＰアドレスが設定され、ＤＨＣＰサーバにＩＰアドレスが問い合わされる。
【００４６】
カメラ設置情報要求部２２２は、カメラＩＰアドレス情報要求部２２１により取得した各ＩＰアドレス情報に基づいて、各ネットワークカメラ１００に対して、ネットワークカメラ設置情報を要求し、ネットワーク送受信部１４０により送信されるネットワークカメラ設置情報をＩＰアドレス情報毎に取得する。ライブ画像情報再生部２２３は、ライブ画像情報取得部１２３により取得されたライブ画像を、ネットワーク３００を介して各ネットワークカメラ１００から受信して再生する。
【００４７】
記憶部２３０は、図１に示されるように、カメラＩＰアドレス情報要求部２２１により取得した各ＩＰアドレス情報（カメラＩＰアドレス情報）と、カメラ設置情報要求部２２２により取得されたネットワークカメラ設置情報（カメラ設置情報）とを、互いに対応付けて記憶する。具体的には、例えば、図１に示されるように、ＩＰアドレス１、ＩＰアドレス２、ＩＰアドレス３、・・・に対応して、画像Ａ、画像Ｂ、画像Ｃ、・・・がそれぞれ記憶される。表示部２４０は、制御部２２０で取得した各種情報や、記憶部２３０に記憶されている情報を、制御部２２０の制御に従って、表示する。
【００４８】
次に、本発明の第１の実施の形態におけるネットワークカメラシステム１０００の動作について図に基づいて説明する。
最初に、各ネットワークカメラ１００を設置する際のネットワークカメラの初期設定動作について、説明する。各ネットワークカメラ１００を各設置場所に設置する際には、ネットワークカメラ１００側では、カメラ設置情報取得部１２２が、ネットワークカメラ設置情報を取得し、これをカメラ設置情報記憶部１３１に記憶する。以下に、具体的な動作を説明する。
【００４９】
まず、各ネットワークカメラ１００の電源が投入され、モード切り替えスイッチ１５０が操作されると、モード設定部１２１が設置情報取得モードを設定する。設置情報取得モードが設定されている状態で、各ネットワークカメラ１００の設置場所を特定できる画像が撮像部１１０により撮像され、これがネットワークカメラ設置情報として、カメラ設置情報取得部１２２により取得され、カメラ設置情報記憶部１３１に記憶される。
【００５０】
なお、ネットワークカメラ設置情報には、上述の通り、例えば「２Ｆ―第１会議室」、「３Ｆ―３０１号室」等の看板が撮像された画像など、各ネットワークカメラ１００の設置場所を容易に特定または推測できる画像情報が用いられる。なお、ＬＥＤやブザー等を各ネットワークカメラ１００に設けて、例えば設置情報取得モードに切り替わった時や、カメラ設置情報記憶部１３１へのネットワークカメラ設置情報の記憶が完了した時などに、ＬＥＤやブザー等により作業者に通知するようにしてもよい。
【００５１】
以上のように、各ネットワークカメラ１００のカメラ設置情報記憶部１３１内に、各ネットワークカメラ１００の設置場所を特定できる画像情報が、ネットワークカメラ設置情報として記憶される。そして、作業者によりモード切り替えスイッチ１５０が操作されて、モード設定部１２１が設置情報取得モードをライブ画像提供モードに切り替える。それから、各ネットワークカメラ１００を各設置場所に設置して、各ネットワークカメラ１００の設置が完了する。
【００５２】
次に、各ネットワークカメラ１００を設置した後の画像受信装置２００の初期設定動作について説明する。画像受信装置２００側では、各ネットワークカメラ１００のカメラ設置情報記憶部１３１に記憶されたネットワークカメラ設置情報を、各ネットワークカメラのＩＰアドレス情報毎に取得して、記憶部２３０に保存する。以下に、具体的な動作を説明する。
【００５３】
まず、カメラＩＰアドレス情報要求部２２１が、各ネットワークカメラ１００に対して、ネットワーク送受信部２１０およびネットワーク３００を介して、各ネットワークカメラ１００の各ＩＰアドレス情報を要求する。次に、ＩＰアドレス情報の要求信号をネットワーク送受信部１４０により受信した各ネットワークカメラ１００は、それぞれのＩＰアドレス情報を、ネットワーク３００を介して、画像受信装置２００へ送信する。
【００５４】
そして、カメラＩＰアドレス情報要求部２２１が、各ネットワークカメラ１００から送信されたＩＰアドレス情報（例えば、ＩＰアドレス１、ＩＰアドレス２、ＩＰアドレス３、・・・）を、ネットワーク送受信部２１０および制御部２２０を介して取得する。カメラＩＰアドレス情報要求部２２１により取得された各ＩＰアドレス情報は、記憶部２３０に一時的に記憶される。
【００５５】
次に、カメラ設置情報要求部２２２により、カメラＩＰアドレス情報要求部２２１により取得した各ＩＰアドレス情報（ＩＰアドレス１、ＩＰアドレス２、ＩＰアドレス３、・・・）に基づいて、各ネットワークカメラ１００に対して、ネットワーク送受信部２１０およびネットワーク３００を介して、カメラ設置情報記憶部１３１に記憶されているネットワークカメラ設置情報を要求する。各ネットワークカメラ１００では、ネットワークカメラ設置情報の要求信号が、ネットワーク送受信部１４０を介して、制御部１２０に入力される。
【００５６】
次に、情報提供部１２４が、画像受信装置２００からのネットワークカメラ設置情報の要求信号に応答して、ネットワーク送受信部１４０に、カメラ設置情報記憶部１３１に記憶されているネットワークカメラ設置情報を画像受信装置２００へ送信させる。
【００５７】
次に、画像受信装置２００では、カメラ設置情報要求部２２２が、各ネットワークカメラ１００から送信されたネットワークカメラ設置情報（画像Ａ、画像Ｂ、画像Ｃ、・・・）を、ＩＰアドレス情報（ＩＰアドレス１、ＩＰアドレス２、ＩＰアドレス３、・・・）毎にネットワーク送受信部２１０および制御部２２０を介して取得する。
【００５８】
そして、記憶部２３０が、カメラＩＰアドレス情報要求部２２１により取得した各ＩＰアドレス情報（カメラＩＰアドレス情報）と、カメラ設置情報要求部２２２により取得されたネットワークカメラ設置情報（カメラ設置情報）とを、互いに対応付けて一覧表にして記憶する。具体的には、例えば、図１に示されるように、ＩＰアドレス１、ＩＰアドレス２、ＩＰアドレス３、・・・に対応して、画像Ａ、画像Ｂ、画像Ｃ、・・・がそれぞれ記憶される。以上により、画像受信装置２００側において、各ネットワークカメラ１００を設置した後の初期設定が完了する。
【００５９】
次に、ネットワークカメラシステム１０００を用いて、画像受信装置２００側でネットワークカメラ１００のライブ画像を視認する際の動作について説明する。
各ネットワークカメラ１００が設置された後において、ネットワークカメラ１００側では、ライブ画像提供モードが設定されている状態で、ネットワーク送受信部１４０により、撮像部１１０のライブ画像情報が、ネットワーク３００を介して画像受信装置２００へ送信されている。
【００６０】
画像受信装置２００では、ライブ画像情報再生部２２３が、ネットワーク送受信部２１０を介して、ライブ画像を取得する。そして、ライブ画像情報再生部２２３により取得されたライブ画像が表示部２４０に出力される。これにより、画像受信装置２００の管理者が各ネットワークカメラ１００のライブ画像をリアルタイムに視認することができる。
【００６１】
ここで、各ネットワークカメラ１００の各ＩＰアドレス情報（ＩＰアドレス１、ＩＰアドレス２、ＩＰアドレス３、・・・）と、ネットワークカメラ設置情報（画像Ａ、画像Ｂ、画像Ｃ、・・・）とが一覧表として記憶部２３０に記憶されている。従って、画像受信装置２００の管理者は、各ライブ画像がどのネットワークカメラ１００の画像なのかを確認することができる。
【００６２】
以上のように、本発明の第１の実施の形態によれば、カメラ設置情報取得部１２２がネットワークカメラ１００の入力機能を用いて、ネットワークカメラ設置情報を取得して、カメラ設置情報記憶部１３１がカメラ設置情報取得部１２２により取得されたネットワークカメラ設置情報を記憶しておき、ネットワークカメラ送受信部１４０が画像受信装置２００の要求に応じて、設置情報取得モードにてカメラ設置情報記憶部１３１に記憶しておいたネットワークカメラ設置情報を画像受信装置２００へ送信するので、特別な部品を追加することなく、ネットワークカメラ１００に装備されている機能を用いて、ネットワークカメラ１００の設置場所に関する情報を取得できる。この結果、ネットワークカメラのアドレスと設置場所を簡単な構成で簡単に対応づけることができ、ネットワークカメラの設置および管理を簡単に行える。
【００６３】
また、カメラ設置情報取得部１２２が、撮像部１１０による撮像機能を用いて撮像される画像情報に基づき、ネットワークカメラ設置情報を取得するので、特別な部品を追加することなく、ネットワークカメラに装備されている撮像機能を用いて、ネットワークカメラ１００の設置場所に関する設置情報を取得できる。この結果、ネットワークカメラの設置場所に関する設置情報を簡単な構成で簡単に取得でき、ネットワークカメラの設置および管理を簡単に行える。
【００６４】
また、モード設定部１２１が、モード切り替えスイッチ１５０を用いて、ライブ画像提供モードと設置情報取得モードとを切り替えるので、モード切り替えスイッチ１５０の切り替えのみで簡単に設置情報取得モードに切り替えて、ネットワークカメラ１００の設置場所に関する設置情報を簡単に取得できる。
【００６５】
（第２の実施の形態）
以下、本発明の第２の実施の形態に係るネットワークカメラシステム１０００ａについて、図面を用いて説明する。本発明の第２の実施の形態におけるネットワークカメラシステムの構成を図３に詳細に示す。図３では、図１と同様に、ネットワークカメラ１００ａは１つのみ示している。また、図３では、画像受信装置２００の内部構成を省略している。
【００６６】
第１の実施の形態に係るネットワークカメラシステム１０００では、上述の通り、モード設定部１２１が、モード切り替えスイッチ１５０を用いて、ライブ画像提供モードと設置情報取得モードとを切り替える。これに対して、第２の実施の形態に係るネットワークカメラシステム１０００ａでは、モード切り替えスイッチ１５０に代えて、パターン識別部１６０を備えており、モード設定部１２１がパターン識別部１６０の識別結果に応じて、ライブ画像提供モードと設置情報取得モードとを切り替える点で相違する。
【００６７】
パターン識別部１６０は、画像認識処理を行って、撮像部１１０により撮像される撮像情報に、特定の画像パターンが含まれているか否かを識別するものであり、当該パターン識別部１６０の識別結果は、上述の通り、モード設定部１２１が上述のライブ画像提供モードと設置情報取得モードとを切り替える際に用いられる。
【００６８】
この第２の実施の形態においては、各ネットワークカメラ１００ｂを各設置場所に設置する際に、ネットワークカメラ１００ａ側では、まず、モード設定部１２１がデフォルトとして、設置情報取得モードを設定する。そして、パターン識別部１６０が、撮像部１１０により撮像される撮像情報に、予め設定された特定の画像パターンが含まれているか否かを識別する。例えば、特定のパターンは、「２Ｆ―第１会議室」、「３Ｆ―３０１号室」等、各ネットワークカメラ１００ａの設置場所を特定できるような文字や記号や模様である。なお、特定の画像パターンは、例えば記憶部１３０に予め登録しておくことができる。
【００６９】
次に、パターン識別部１６０が特定の画像パターンが含まれていると判断した場合、カメラ設置情報取得部１２２が、撮像部１１０により撮像された画像情報をネットワークカメラ設置情報として、カメラ設置情報記憶部１３１に記憶する。そして、モード設定部１２１が、ライブ画像提供モードを設定する。以降の動作については、第１の実施の形態で説明した内容と同様である。
【００７０】
以上に、本発明の第２の実施の形態について説明した。この第２の実施の形態においても、第１の実施の形態で説明したのと同様に、ネットワークカメラのアドレスと設置場所を簡単な構成で簡単に対応づけることができ、ネットワークカメラの設置および管理を簡単に行えるという効果を奏する。
【００７１】
また、更に、パターン識別部１６０の識別結果に応じて、ライブ画像提供モードと設置情報取得モードとを切り替えるので、特定の画像パターンの有無に応じて自動的に設置情報取得モードに切り替えて、ネットワークカメラ１００ａの設置場所に関する設置情報を簡単に取得できる。
【００７２】
（第３の実施の形態）
以下、本発明の第３の実施の形態に係るネットワークカメラシステム１０００ｂについて、図面を用いて説明する。本発明の第３の実施の形態におけるネットワークカメラシステム１０００ｂの構成を図４に詳細に示す。
【００７３】
第３の実施の形態では、キーワード抽出部１７０が設けられている点で、第１の実施の形態と相違する。キーワード抽出部１７０は、画像認識処理を行って、撮像部１１０により撮像される画像情報に含まれるキーワード情報を抽出する。この場合において、カメラ設置情報取得部１２２は、キーワード抽出部１７０により抽出されたキーワード情報をネットワークカメラ設置情報として取得して、カメラ設置情報記憶部１３１に記憶させる。
【００７４】
このように、第１の実施の形態では、ネットワークカメラ設置情報が画像情報であったのと異なり、第３の実施の形態では、ネットワークカメラ設置情報が画像情報から抽出されたキーワード情報である。
【００７５】
また、第２の実施の形態と第３の実施の形態を比較すると、両者は共に画像認識機能を有している。ただし、第２の実施の形態では、画像認識がモード切り替えのために利用されているのに対して、第３の実施の形態では、画像認識がネットワークカメラ設置情報の抽出に用いられている。
【００７６】
この第３の実施の形態においては、各ネットワークカメラ１００ｂを各設置場所に設置する際に、ネットワークカメラ１００ｂ側では、設置情報取得モードが設定されている状態で、各ネットワークカメラ１００ｂの設置場所を特定できる画像を撮像部１１０により撮像する。次に、カメラ設置情報取得部１２２が、キーワード抽出部１７０に、撮像部１１０の撮像画像情報に含まれるキーワード情報（例えば、２Ｆ−１、２Ｆ−２、２Ｆ−３、・・・等の文字情報）を抽出させる。抽出されたキーワード情報は、ネットワークカメラ設置情報として、カメラ設置情報記憶部１３１に記憶される。
【００７７】
また、画像受信装置２００ａ側では、各ネットワークカメラ１００bのカメラ設置情報記憶部１３１に記憶されたキーワード情報（例えば、２Ｆ−１、２Ｆ−２、２Ｆ−３、・・・等の文字情報）を、ネットワークカメラ設置情報として、各ネットワークカメラのＩＰアドレス情報毎に取得して、記憶部２３０ａに保存する。具体的には、例えば、図４に示されるように、ＩＰアドレス１、ＩＰアドレス２、ＩＰアドレス３、・・・に対応して、キーワードａ、キーワードｂ、キーワードｃ、・・・として２Ｆ−１、２Ｆ−２、２Ｆ−３、・・・がそれぞれ記憶される。
【００７８】
以上のように、第３の実施の形態によれば、撮像部１１０の撮像画像情報に含まれるキーワード情報を、ネットワークカメラ１００ｂの設置場所に関する設置情報として取得するので、画像受信装置２００ａ側にて、キーワード情報を用いて、ネットワークカメラ１００ｂの設置場所の管理を容易に行える。また、画像で設置情報を記憶する場合と比較して、設置情報記憶部２００ａの容量を節約することができる。
【００７９】
次に、本実施の形態の変形例について説明する。上述した本実施の形態において、カメラ設置情報取得部１２２が、キーワード抽出部１７０により抽出されたキーワード情報をネットワークカメラ設置情報として取得すると説明したが、カメラ設置情報取得部１２２は、キーワード抽出部１７０によりキーワード情報が抽出されたときの画像情報を、ネットワークカメラ設置情報として取得してもよい。
【００８０】
これにより、キーワード情報が含まれる画像情報を、ネットワークカメラ１００ｂの設置場所に関する設置情報として取得するので、画像受信装置２００ａ側でも、キーワード情報を抽出して、ネットワークカメラ１００ｂの設置場所の管理を容易に行える。
【００８１】
また、本実施の形態において、第１の実施の形態と同様に、モード設定部１２１が、モード切り替えスイッチ１５０の操作に応じて、ライブ画像提供モードと設置情報取得モードとを切り替えるとしたが、第２の実施の形態と同様に、モード切り替えスイッチ１５０に代えて、パターン識別部１６０を備え、モード設定部１２１がパターン識別部１６０の識別結果に応じて、ライブ画像提供モードと設置情報取得モードとを切り替えるようにしてもよい。これにより、上述した効果に加えて、第２の実施の形態で示した効果をも合わせて奏することができる。
【００８２】
なお、この変形例では、１つの画像認識機能が、パターン認識部１６０とキーワード抽出部１７０の２つの構成を実現してよい。この場合、画像に含まれる特定の文字列等の情報が、識別されるべき特定のパターンであり、かつ、抽出されるべきキーワードであってよい。そして、画像認識により、特定のパターンが抽出され、抽出されたパターンがキーワード情報として、カメラ設置情報記憶部１３１に格納されると共に、モード設定部１２１がカメラ設置情報取得モードをライブ画像提供モードに切り替えてよい。
【００８３】
（第４の実施の形態）
以下、本発明の第４の実施の形態に係るネットワークカメラシステム１０００ｃについて、図面を用いて説明する。本発明の第４の実施の形態におけるネットワークカメラシステム１０００ｃの構成を図５に詳細に示す。図５では、図１、図３および図４と同様に、便宜上、ネットワークカメラ１００ｃは１つのみ示している。
【００８４】
第４の実施の形態では、図５に示されるように、ネットワークカメラ１００ｃがＤＮＳクライアント部１８０を備えた点と、ネットワークシステム１０００ｃがネットワーク３００に接続されるＤＮＳサーバ７００を備えた点で、第３の実施の形態と相違する。
【００８５】
ＤＮＳクライアント部１８０は、ネットワークカメラ１００ｃをＤＮＳ（Domain Name System）クライアントとして動作させるための機能を果たす。具体的には、ＤＮＳクライアント部１８０は、ＤＮＳサーバ７００に対して、ネットワーク送受信部１４０およびネットワーク３００を介して、キーワード抽出部１７０により抽出されたキーワード情報をホスト名として登録するように要求する。
【００８６】
ＤＮＳサーバ７００は、ネットワーク３００に接続されているＤＮＳクライアントのドメイン名とＩＰアドレス情報とを互いに対応付けて管理する。ＤＮＳサーバ７００は、ネットワークカメラ１００ｃからのドメイン名の登録要求に応じて、当該ネットワークカメラ１００ｃのドメイン名とＩＰアドレス情報とを対応付けて登録する。
【００８７】
これにより、各ネットワークカメラ１００に対して、画像受信装置２００ａ側では、各ネットワークカメラ１００ｃにドメイン名を用いてアクセスすることができ、各ネットワークカメラ１００ｃの管理が容易となる。
【００８８】
（第５の実施の形態）
以下、本発明の第５の実施の形態に係るネットワークカメラシステム１０００ｄについて、図面を用いて説明する。本発明の第５の実施の形態におけるネットワークカメラシステム１０００ｄの構成を図５に詳細に示す。
【００８９】
本実施の形態において、ネットワークカメラ１００ｄがマイク部１９０を更に備え、画像受信装置２００ｂがスピーカ部２５０を更に備えている点で、第１の実施の形態と相違する。また、第１の実施の形態では、カメラ設置情報取得部１２２が、ネットワークカメラ１００の撮像部１１０の撮像機能を用いて撮像される画像情報を、ネットワークカメラ設置情報として取得するのに対し、本実施の形態では、カメラ設置情報取得部１２２が、マイク部１９０による集音機能を用いて集音される音声情報を、ネットワークカメラ設置情報として取得する点で相違する。
【００９０】
マイク部１９０は、ネットワークカメラ１００ｄ周辺の音声を集音する機能を有する。また、カメラ設置情報取得部１２２は、モード設定部１２１により設置情報取得モードに設定されているときに、マイク部１９０による集音機能を用いて集音される音声情報を、ネットワークカメラ設置情報として取得する。
【００９１】
また、スピーカ部２５０は、ライブ画像再生時において、ライブ画像情報と共にネットワークカメラ１００ｄから受信される音声情報を出力したり、画像受信装置２００ｂの管理者の操作に基づいて、制御部２２０によりネットワークカメラ設置情報の出力指示がなされたとき、記憶部２３０ｂに記憶されたネットワークカメラ設置情報の音声情報（例えば、音声Ａ、音声Ｂ、音声Ｃ、・・・）を出力したりする。
【００９２】
以上のように、第５の実施の形態によれば、カメラ設置情報取得部１２２が、マイク部１９０による集音機能を用いて集音される音声情報に基づき、ネットワークカメラ１００ｄの設置場所に関する情報を取得するので、特別な部品を追加することなく、ネットワークカメラ１００ｄに装備されている集音機能を用いて、ネットワークカメラ１００ｄの設置場所に関する設置情報を取得できる。この結果、ネットワークカメラ１００ｄのアドレスと設置場所を簡単な構成で簡単に対応づけることができ、ネットワークカメラ１００ｄの設置および管理を簡単に行える。
【００９３】
なお、上述した本実施の形態では、ネットワークカメラの設置情報は、音声情報そのものであった。しかし、ネットワークカメラ設置情報は、音声情報そのものに限定されず、例えば音声情報から抽出されるキーワード情報等であってもよい。すなわち、第３の実施の形態と同様に、マイク部１９０により集音される音声情報に含まれるキーワード情報を音声認識処理を行って抽出するキーワード抽出部を設け、カメラ設置情報取得部１２２により、キーワード抽出部により抽出されたキーワード情報をネットワークカメラ設置情報として取得することができる。これにより、第３の実施の形態で説明したのと同様の効果を奏することができる。また、更なる変形例として、抽出したキーワード情報そのものではなく、キーワード情報が抽出されたときの音声情報がネットワークカメラ設置情報として保持されてもよい。
【００９４】
また、本実施の形態において、第１の実施の形態と同様に、モード設定部１２１が、モード切り替えスイッチ１５０の操作に応じて、ライブ画像提供モードと設置情報取得モードとを切り替えるとしたが、第２の実施の形態と同様に、モード切り替えスイッチ１５０に代えて、パターン識別部１６０を備え、モード設定部１２１がパターン識別部１６０の識別結果に応じて、ライブ画像提供モードと設置情報取得モードとを切り替えるようにしてもよい。これにより、上述した効果に加えて、第２の実施の形態で示した効果をも合わせて奏することができる。
【００９５】
なお、この変形例では、パターン識別部１６０が音声認識機能を有し、音声認識によって特定のパターンを認識する。画像の場合と同様に、音声の場合も、１つの音声認識機能により、パターン識別とキーワード抽出が行われてよい。認識されたパターンが、キーワードとして、文字等の形で保持されてよい。
【００９６】
以上、本発明の実施の形態を例示により説明したが、本発明の範囲はこれらに限定されるものではなく、請求項に記載された範囲内において目的に応じて変更・変形することが可能である。
【産業上の利用可能性】
【００９７】
以上のように、本発明は、ネットワークカメラのアドレスと設置場所を簡単な構成で簡単に対応づけることができ、ネットワークカメラの設置および管理を簡単に行うことができるという効果を有し、ネットワークカメラ等に有用である。
【図面の簡単な説明】
【００９８】
【図１】本発明の第１の実施の形態におけるネットワークカメラシステムの構成図
【図２】本発明の第１の実施の形態におけるネットワークカメラシステムの概要図
【図３】本発明の第２の実施の形態におけるネットワークカメラシステムの構成図
【図４】本発明の第３の実施の形態におけるネットワークカメラシステムの構成図
【図５】本発明の第４の実施の形態におけるネットワークカメラシステムの構成図
【図６】本発明の第５の実施の形態におけるネットワークカメラシステムの構成図
【図７】従来のネットワークカメラシステムの構成図
【符号の説明】
【００９９】
１００、１００ａ、１００ｂ、１００ｃ、１００ｄ  ネットワークカメラ
１１０  撮像部
１２０  制御部
１２１  モード設定部
１２２  カメラ設置情報取得部
１２３  ライブ画像情報取得部
１２４  情報提供部
１３０  記憶部
１４０  ネットワーク送受信部
１５０  モード切り替えスイッチ
１６０  パターン識別部
１７０  キーワード抽出部
１８０  ＤＮＳクライアント部
１９０  マイク部
２００、２００ａ、２００ｂ  画像受信装置
２１０  ネットワーク送受信部
２２０  制御部
２３０、２３０ａ、２３０ｂ  記憶部
２４０  表示部
３００  ネットワーク
７００  ＤＮＳサーバ
１０００、１０００ａ、１０００ｂ  ネットワークカメラシステム
１０００ｃ、１０００ｄ  ネットワークカメラシステム
【図１】
2008271369.tif 000003
【図２】
2008271369.tif 000004
【図３】
2008271369.tif 000005
【図４】
2008271369.tif 000006
【図５】
2008271369.tif 000007
【図６】
2008271369.tif 000008
【図７】
2008271369.tif 000009